(57)【要約】【課題】電源オフ時の待機電力を抑えつつ画像処理装置の起動時間を短縮すること。【解決手段】画像処理装置1では、AC電源から電力が供給されると（S401）、電源部101が電源制御部201を含む電源系1に対して常時電力を供給する。電源部101からの電力供給を受けて電源制御部201が起動し（S402）、電源制御部201は電源スイッチ部107への操作を検知した場合（S403）、電源部101からCPU部202を含む電源系2へ電力供給が開始されるように制御する（S404）。CPU部202は、電源部101からの電力供給を受けて起動し、画像処理装置1のシステムを起動する（S405〜S408）。【選択図】図４
2019043029.tif 000002
【特許請求の範囲】
【請求項１】
画像処理装置であって、
前記画像処理装置に供給される電力に基づいて前記画像処理装置の内部に電力を供給する電源手段と、
ハードウェア的にオン／オフ状態を保持しない電源スイッチと、
前記電源スイッチに対する操作を監視して前記画像処理装置の電力状態を制御する電源制御手段と、
前記画像処理装置の起動処理及びシャットダウン処理を実行する制御手段と、を有し、
前記電源手段は、前記画像処理装置に電力が供給されている場合には前記電源制御手段を含む電源系統に対して常時電力を供給し、
前記電源制御手段は、前記電源手段からの電力供給を受けて起動し、前記電源スイッチへの操作を検知した場合に、前記電源手段から前記制御手段を含む電源系統へ電力供給が開始されるように制御し、
前記制御手段は、前記電源手段からの電力供給を受けて起動し、前記画像処理装置の起動処理を実行することを特徴とする画像処理装置。
【請求項２】
前記電源制御手段は、前記画像処理装置が起動している状態で前記電源スイッチへの操作を検知した場合、前記制御手段に対して前記シャットダウン処理を開始するように制御し、該シャットダウン処理が終了した後に、前記制御手段を含む電源系統への電力供給を遮断するように制御することを特徴とする請求項１記載の画像処理装置。
【請求項３】
前記制御手段を含む電源系統には、不揮発性の記憶手段が含まれることを特徴とする請求項１又は２に記載の画像処理装置。
【請求項４】
前記電源制御手段は、前記制御手段よりも省電力であることを特徴とする請求項１〜３のいずれか１項に記載の画像処理装置。
【請求項５】
前記電源制御手段は、プログラマブルロジックデバイスであることを特徴とする請求項４記載の画像処理装置。
【請求項６】
画像処理装置に供給される電力に基づいて画像処理装置の内部に電力を供給する電源手段と、ハードウェア的にオン／オフ状態を保持しない電源スイッチと、前記電源スイッチに対する操作を監視して画像処理装置の電力状態を制御する電源制御手段と、画像処理装置の起動処理及びシャットダウン処理を実行する制御手段と、を有する画像処理装置の制御方法であって、
前記画像処理装置への電力供給に応じて前記電源手段から前記電源制御手段を含む電源系統に対して電力の供給を開始するステップと、
前記電源手段からの電力供給を受けて前記電源制御手段が起動するステップと、
該起動した前記電源制御手段が前記電源スイッチへの操作を検知した場合に、前記電源手段から前記制御手段を含む電源系統へ電力供給が開始されるように制御するステップと、
前記電源手段からの電力供給を受けて前記制御手段が起動するステップと、
該起動した前記制御手段が前記画像処理装置の起動処理を実行するステップと、
を有することを特徴とする画像処理装置の制御方法。
【発明の詳細な説明】
【技術分野】
【０００１】
本発明は、プリンタなどの画像処理装置の電源制御技術に関するものである。
【背景技術】
【０００２】
従来から、プリンタ、ファクシミリ装置、複写機等の画像処理装置では、電源スイッチを設けており、電源スイッチのオン／オフ操作に応じて電力の供給と遮断の制御を行っている。最近では、CPUを内蔵してこれを常時動作させておき、さらに電源スイッチとしてプッシュスイッチ等の自動復帰型のスイッチを設け、スイッチ押下毎に他の回路への電力の供給／遮断を制御する構成が多く使われている。
【０００３】
しかし、このような電源スイッチの状態をCPUで常時監視する構成では、電源オフ時であっても電源スイッチに対する操作を監視して画像処理装置をオン／オフ制御しなければならないため、CPUに常時電力供給する必要がある。このため、電源オフ時の待機電力が増大してしまう。そこで、電源オフ時の待機電力を低減するための技術が提案されている。
【０００４】
特許文献１には、電源スイッチ監視回路に常時電力供給し、電源スイッチ監視回路が電源スイッチ押下を検出すると電源制御用マイコンへの通電を開始し、電源制御用マイコン起動後に、電源制御用マイコンがCPUへの電力供給を開始する技術が提案されている。特許文献１では、電源オフ時には電源制御用マイコンの電力を遮断することにより、電源オフ時の待機電力を低減することができる。
【先行技術文献】
【特許文献】
【０００５】
【特許文献１】特開平１１−２９６２６５号公報
【発明の概要】
【発明が解決しようとする課題】
【０００６】
しかし、特許文献１の技術では、電源スイッチ押下を検出すると電源制御用マイコンへの通電を開始し、電源制御用マイコン起動後に、電源制御用マイコンがCPUへの電力供給を開始するため、電源オン時にまず電源制御用マイコンを起動する必要がある。そのため、CPU起動までの時間が遅くなってしまうという課題があった。
【０００７】
また、特許文献１に記載の技術は、電源オン時に電源スイッチ押下を検出すると、CPU及び電源制御用マイコンの電力を遮断するものである。そのため、CPU及びシステムの動作状態が考慮されておらず、ハードディスク等の不揮発性メモリ内のデータ破損、または、物理的な破損など様々な障害が発生する可能性があるという課題があった。
【０００８】
本発明は、上記の問題点を解決するためになされたものである。本発明は、電源オフ時の待機電力を抑えつつ画像処理装置の起動時間を短縮することができる仕組みを提供することを目的とする。
【課題を解決するための手段】
【０００９】
本発明は、画像処理装置であって、前記画像処理装置に供給される電力に基づいて前記画像処理装置の内部に電力を供給する電源手段と、ハードウェア的にオン／オフ状態を保持しない電源スイッチと、前記電源スイッチに対する操作を監視して前記画像処理装置の電力状態を制御する電源制御手段と、前記画像処理装置の起動処理及びシャットダウン処理を実行する制御手段と、を有し、前記電源手段は、前記画像処理装置に電力が供給されている場合には前記電源制御手段を含む電源系統に対して常時電力を供給し、前記電源制御手段は、前記電源手段からの電力供給を受けて起動し、前記電源スイッチへの操作を検知した場合に、前記電源手段から前記制御手段を含む電源系統へ電力供給が開始されるように制御し、前記制御手段は、前記電源手段からの電力供給を受けて起動し、前記画像処理装置の起動処理を実行することを特徴とする。
【発明の効果】
【００１０】
本発明によれば、電源オフ時の待機電力を抑えつつ画像処理装置の起動時間を短縮することができる。また、電源オフの際の不揮発性メモリの破損等を防止することができる。
【図面の簡単な説明】
【００１１】
【図１】本実施例の画像処理装置の概略構成を例示する図
【図２】本実施例の画像処理装置のコントローラ部の内部構成を例示するブロック図
【図３】本実施例の画像処理装置の電源部の内部構成を例示するブロック図
【図４】本実施例の画像処理装置における電源オン処理を例示するフローチャート
【図５】本実施例の画像処理装置における電源オフ処理を例示するフローチャート
【発明を実施するための形態】
【００１２】
以下、本発明を実施するための形態について図面を用いて説明する。
【実施例１】
【００１３】
図１は、本発明の一実施例を示す画像処理装置の概略構成を例示する図である。
図１に示すように、本実施例の画像処理装置1は、ACプラグ100、電源部101、コントローラ部102、プリンタ部103、スキャナ部104、プリンタ電源制御部105、スキャナ電源制御部106、電源スイッチ部107を備えている。
【００１４】
スキャナ部104は、原稿から光学的に画像を読み取りデジタル画像への変換を行う。プリンタ部103は、例えば電子写真方式に従ってシート状の記録媒体（用紙）への画像形成処理を行う。なお、プリンタ部103は、シート状の記録媒体（例えば、記録紙）に画像形成を可能なものであればその記録方式は電子写真方式に限定されるものではなく、他の記録方式、例えば、インクジェット方式や熱転写方式などを用いてもよい。
【００１５】
コントローラ部102は、画像処理装置1全体を制御し、スキャナ部104で読み取った原稿画像をプリンタ部103で画像形成処理してコピー動作を行う等の制御を行う。
電源スイッチ部107は、ハードウェア的にON／OFF状態を保持しないプッシュスイッチ等で構成される。電源スイッチ部107は、電源スイッチ部107の状態（電源スイッチ部107が押下されたか否か）を電源スイッチ信号110によりコントローラ部102に通知する。
【００１６】
電源部101は、ACプラグ100を備えており、装置外部のコンセントにACプラグ100を差し込むことにより、交流商用電源から電力の供給を受けるようになっている。電源部101は、ACプラグ100を介して交流商用電源から供給される電力に基づいて画像処理装置1の内部に電力を供給する。例えば、電源部101は、スキャナ部104、コントローラ部102、プリンタ部103に対して所望の電圧の電力を供給可能なように構成されている。なお、本実施例においては、電源部101で12V電源112と24V電源113を生成するものとするが、とくに出力電圧を限定するものでない。また、電源部101は、コントローラ部102から出力される24V電源制御信号111に基づいて電源部101内の24V電源の動作状態を変更する。
【００１７】
プリンタ電源制御部105は、コントローラ部102から出力されるプリンタ部電源制御信号108に基づいて、プリンタ部103への電力の供給／遮断制御を行う。スキャナ電源制御部106は、コントローラ部102から出力されるスキャナ電源制御信号109に基づいて、スキャナ部104への電力の供給／遮断制御を行う。
【００１８】
図２は、コントローラ部102の内部構成を例示するブロック図である。
コントローラ部102は、12V電圧変換部200、電源制御部201、電源系2電力供給部207、電源系3電力供給部208、CPU部202、メモリ部203、HDD部204、操作部205、画像処理部206を有する。
12V電圧変換部200は、電源部101から供給される電源電圧を各制御部の要求電圧に電圧変換し、各制御部に供給するものである。
【００１９】
電源制御部201は、電源部101、プリンタ電源制御部105、スキャナ電源制御部106、電源スイッチ部107、電源系2電力供給部207、電源系3電力供給部208、CPU部202と接続されている。電源制御部201は、電源スイッチ部107の押下操作を監視して画像処理装置の電力状態を制御する。具体的には、電源制御部201は、電源スイッチ部107の押下及びCPU部202が実行する制御プログラムからの指示に従って、画像処理装置1各部への電力を供給／遮断させるために、プリンタ電源制御部105、スキャナ電源制御部106、電源系2電力供給部207、電源系3電力供給部208のスイッチング制御を行う。電源制御部201は、例えばCPLD(Complex Programmable Logic Device)等のプログラマブルロジックデバイスで実現され、消費電流は例えば数十μA程度でありCPUよりも省電力である。電源制御部２０１は、内部の揮発性メモリ（レジスタ等）に、画像処理装置1の電力状態（例えば電源オフ状態、スタンバイ状態、省電力状態等）を記憶し、画像処理装置1の電力状態を管理する。なお、電源制御部201は、CPLDに限定されるものではなく、同様の機能を実現可能なものであればどのようなものでもよい。
【００２０】
CPU部202は、画像処理装置1全体の制御を行う中央演算装置である。CPU部202は、HDD部204に格納されている制御プログラムを実行して、画像処理装置システムを起動し、コピー機能、プリント機能、FAX機能等の機能を実現する。また、CPU部202は、シャットダウン処理を行う。
【００２１】
メモリ部203は、CPU部202に接続されている。メモリ部203は、例えばDDR SDRAM等の揮発性メモリである。メモリ部203は、CPU部202で実行される制御プログラム等によって作成されたユーザデータなどを格納する主メモリである。
【００２２】
HDD部204は、CPU部202に接続されているハードディスクドライブである。HDD部204は、CPU部202が実行するプログラムや画像処理装置1に関する各種設定情報等を格納するための不揮発性の記憶装置である。なお、HDDの代わりにまたは併用して、SSD（ソリッドステートドライブ）等の他の不揮発性の記憶装置を設けてもよい。
【００２３】
操作部205は、CPU部202に接続されており、操作用液晶パネルや省電力モード解除ボタンを含むハードキーを備え、ユーザから入力される指示を受け付ける。
【００２４】
画像処理部206は、CPU部202、プリンタ部103、スキャナ部104に接続されている。画像処理部206は、スキャナ部104から出力されたデジタル画像を色空間変換などの画像処理を行い、画像処理後のデータをCPU部202に出力する。また、画像処理部206は、スキャナ部104で読み取られた画像データを基に色空間変換などの画像処理を行い、ビットマップデータに変換し、プリンタ部103に出力する。
【００２５】
次に、図２を用いて、画像処理装置1の電源系統に関して説明する。
電源系1（209）は、電源制御部201に電力を供給する電源系統である。電源系1（209）は、画像処理装置1全体の電力状態の管理を行うためにACプラグ100を介して交流商用電源から電力が供給されている限り、どの電力状態においても電力が遮断されることはない。即ち、電源系1（209）は、画像処理装置１に電力が供給されている場合には、常時電力が供給される電源系である。
【００２６】
電源系2（210）は、CPU部202、メモリ部203、HDD部204、操作部205に電力を供給する電源系統である。電源系2（210）の電力遮断／供給の制御は、電源制御部201から出力される電源系2電源制御信号212を介して電源系2電力供給部207を制御することで実現する。なお、電源系2（210）は、消費電力を低減する状態である省電力モード時及び電源オフ時に電力供給が停止される。
【００２７】
電源系3（211）は、画像処理部206に電力を供給する電源系統である。電源系3（211）の電力の遮断／供給の制御は、電源制御部201から出力される電源系3電源制御信号213を介して電源系3電力供給部208を制御することで実現する。なお、電源系3（211）は、消費電力を低減する状態である省電力モード時及び電源オフ時に電力供給が停止される。
【００２８】
なお、電源制御部201は、電源スイッチ信号110により電源スイッチ部107が押下されたことを検知すると、電源スイッチ押下の通知を、割り込み信号214を介してCPU部202に通知する。
【００２９】
図３は、電源部101の内部構成を例示するブロック図である。
電源部101は、ACプラグ100を介して供給される交流電源を直流電源に変換するものである。電源部101は、ACフィルタ部300、整流ダイオード部301、PFC部302、12Vコンバータ部303、24Vコンバータ部304を有する。
【００３０】
ACフィルタ部300は、ACプラグ100を介して供給される交流商用電源を通じて画像処理装置1に侵入する電磁ノイズや、画像処理装置1より流出する電磁ノイズを除去するために使用されるノイズ対策部品である。このACフィルタ部300の出力端には、交流商用電源を整流する整流ダイオード部301が接続されており、交流電源を直流電源に変換するために用いられる。
【００３１】
整流ダイオード部301の出力端には、スイッチング方式の昇圧回路などから構成されるPFC部302が接続されている。PFC部302の出力端には、12Vコンバータ部303と、24Vコンバータ部304とが接続されている。
【００３２】
12Vコンバータ部303は、その内部のスイッチ素子をスイッチング制御することによって、PFC部302を介して入力される直流電圧を、負荷に供給するための所定の直流電圧（本実施例では12V）に変換するスイッチング方式のコンバータである。
【００３３】
24Vコンバータ部304は、その内部のスイッチ素子をスイッチング制御することによって、PFC部302を介して入力される直流電圧を、負荷に供給するための所定の直流電圧（本実施例では24V）に変換するスイッチング方式のコンバータである。なお、24Vコンバータ部304は、コントローラ部102からの24V電源制御信号111によって動作状態を切り替えることが可能である。コントローラ部102は、24V電源制御信号111をオフ状態にすることで、24Vコンバータ部304の動作を停止することができる。
【００３４】
図４は、本実施例の画像処理装置1における電源オン処理を例示するフローチャートである。
画像処理装置1のACプラグ100がコンセントに挿入され電源部101に交流商用電源の供給が開始されると（S401）、電源部101内の12Vコンバータ部303が起動する。12Vコンバータ部303は、コントローラ部102内の12V電圧変換部200を介して電源系1（209）に電力の供給を開始する。電源系1（209）に電力の供給が開始されると、電源制御部201は、起動処理を開始する（S402）。
【００３５】
電源制御部201が起動すると、電源制御部201は、電源スイッチ部107が押下されたか否かを、電源スイッチ信号110を介して判断する（S403）。電源制御部201は、電源スイッチ部107が押下されていないと判断した場合（S403でNoの場合）、電源スイッチ部107が押下されるのを待つ。
【００３６】
一方、上記S403において、電源制御部201は、電源スイッチ部107が押下されたと判断した場合は（S403でYesの場合）、電源系2（210）及び電源系3（211）への電力供給を開始する。電源系2（210）に電力供給が開始されると、CPU部202は、起動処理を開始する（S404）。
【００３７】
CPU部202は、CPU部202の起動処理が終了した後、HDD部204に格納されたプログラムを実行し、システムの起動を開始する（S405）。以後、CPU部202の動作は、HDD部204に格納されたプログラムを実行することにより実現される。
CPU部202は、システム起動後、24V電源制御信号111を介して、電源部101内の24Vコンバータ部304の起動を開始する（S406）。
【００３８】
CPU部202は、24Vコンバータ部304を起動後、プリンタ部電源制御信号108とスキャナ電源制御信号109を介して、プリンタ部103とスキャナ部104への電力供給を開始し、起動させる（S407）。
CPU部202は、プリンタ部103とスキャナ部104の起動を確認すると、画像処理装置1をスタンバイ状態に移行させる（S408）。この際、電源制御部２０１は、内部のレジスタ等に、画像処理装置の電力状態がスタンバイ状態に移行したことを記憶する。
【００３９】
図５は、本実施例の画像処理装置1における電源オフ処理を例示するフローチャートである。
電源オン状態（画像処理装置1が起動している状態）で電源制御部201は、電源スイッチ部107が押下されたか否かを、電源スイッチ信号110を介して判断する（S501）。電源制御部201は、電源スイッチ部107が押下されていないと判断した場合（S501でNoの場合）、電源スイッチ部107が押下されるのを待つ。
【００４０】
一方、上記S501において、電源制御部201は、電源スイッチ部107が押下されたと判断した場合（S501でYesの場合）、割り込み信号214を介して、電源スイッチ押下の通知をCPU部202に通知する。
【００４１】
CPU部202は、電源制御部201から電源スイッチ押下の通知を受け取ると、HDD部204の終了処理等のシャットダウン処理を開始する（S502）。
CPU部202は、プリンタ部103とスキャナ部104との電力遮断処理を実行し、電力遮断の準備が完了後、プリンタ部電源制御信号108とスキャナ電源制御信号109を介して、プリンタ部103とスキャナ部104への電力供給を遮断する（S503）。
【００４２】
次にCPU部202は、プリンタ部103とスキャナ部104への電力供給停止後、24V電源制御信号111を介して電源部101内の24Vコンバータ部304を停止させる（S504）。
CPU部202は、24Vコンバータ部304の動作停止後、電源制御部201を介して、電源系2（210）及び電源系3（211）への電力供給を遮断する（S505）。
電源制御部201は、電源系2（210）及び電源系3（211）への電力供給遮断後、画像処理装置1を電源オフ状態に移行させる（S506）。この際、電源制御部２０１は、内部のレジスタ等に、画像処理装置の電力状態が電源オフ状態に移行したことを記憶する。
【００４３】
以上のように、本実施例では、ハードウェア的にオン／オフ状態を保持しない電源スイッチ部107に対する操作の監視を、消費電力の小さい電源制御部201が行って画像処理装置1の電力状態を制御する構成により、電源オフ時の待機電力を抑える。さらに、電源制御部201が、電源スイッチ押下を検出すると直接CPU部202を起動する構成により、起動時間を短縮する。また、電源制御部201が電源オン時の電源スイッチ押下を検出した場合、CPU部202にシャットダウン処理を実行させた後に電源系2、電源系3への電力を遮断するため、ハードディスク等の不揮発性メモリの破損等を未然に防止することが可能となる。このように、本実施例によれば、適切な電力供給／遮断シーケンスを維持しながら、電源オフ時の待機電力を抑えつつ、起動時間を短縮することが可能な画像処理装置を提供することができる。
【００４４】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００４５】
（その他の実施例）
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路（例えば、ASIC）によっても実現可能である。
また、本発明は、複数の機器から構成されるシステムに適用しても、1つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００４６】
1    画像処理装置
100    ACプラグ
101    電源部
102    コントローラ部
107    電源スイッチ部
201    電源制御部
202    ＣＰＵ部
209    電源系1
210    電源系2
211    電源系3
【図１】
2019043029.tif 000003
【図２】
2019043029.tif 000004
【図３】
2019043029.tif 000005
【図４】
2019043029.tif 000006
【図５】
2019043029.tif 000007